(57)【要約】【課題】黄変の発生及び機械特性の低下を抑制することが可能な光学素子を提供する。【解決手段】偏光層１２及び偏光層１２を支持する支持層１４を有する偏光板１０と、偏光板１０における一方の面（支持層１４の表面）に接着層Ｃを介して接着された光学要素としての透光性基板２０と、偏光板１０における他方の面（偏光層１２の表面）に接着層Ｃを介して接着された他の光学要素としての透光性基板３０とを備える光学素子１。支持層１４は、三酢酸セルロースから酢酸が遊離されないように構成されている。【選択図】図１
2007256734.tif 000002
【特許請求の範囲】
【請求項１】
偏光層及び前記偏光層を支持する少なくとも１つの支持層を有する偏光板と、
前記偏光板における一方の面に接着層を介して接着された光学要素と、
前記偏光板における他方の面に接着層を介して接着された他の光学要素とを備え、
前記支持層は、三酢酸セルロースを含み、
前記支持層は、前記三酢酸セルロースから酢酸が遊離されないように構成されていること
を特徴とする光学素子。
【請求項２】
請求項１に記載の光学素子において、
前記支持層は、高温で強酸を遊離する添加物を含有しないことを特徴とする光学素子。
【請求項３】
請求項１又は２に記載の光学素子において、
前記支持層は、前記三酢酸セルロースの持つアセチル基の酸素原子2重結合が2つの単結
合に処理されていることを特徴とする光学素子。
【請求項４】
請求項１〜３のいずれかに記載の光学素子において、
前記偏光板における少なくとも前記支持層の端面は、接着層で取り囲まれていることを
特徴とする光学素子。
【請求項５】
請求項１〜４のいずれかに記載の光学素子において、
前記光学要素及び前記他の光学要素の材料は、サファイア若しくは水晶又は光学ガラス
からなることを特徴とする光学素子。
【請求項６】
照明光束を射出する照明装置と、
前記照明装置からの前記照明光束を画像情報に応じて変調する液晶装置と、
前記液晶装置で変調された光を投写する投写光学系と、
前記液晶装置の光入射側及び光射出側の少なくとも一方に配置された光学素子とを備え
、
前記光学素子は請求項１〜５のいずれかに記載された光学素子であることを特徴とする
プロジェクタ。
【請求項７】
請求項６に記載のプロジェクタにおいて、
前記液晶装置の光入射側に配置される集光レンズをさらに備え、
前記光学素子は、前記液晶装置の光入射側に配置されており、
前記光学素子の光学要素と他の光学要素とのうち前記偏光板における前記液晶装置側の面
とは反対側の面に接着される反対側光学要素は集光レンズであることを特徴とするプロジ
ェクタ。
【請求項８】
請求項６又は７に記載のプロジェクタにおいて、
前記照明装置からの照明光束を複数の色光に分離して被照明領域に導光する色分離導光
光学系と、
前記液晶装置として、前記色分離導光光学系で分離された複数の色光のそれぞれを画像
情報に応じて変調する複数の液晶装置と、
前記複数の液晶装置によって変調された各色光をそれぞれ入射する複数の光入射端面及
び合成された色光を射出する光射出端面を有するクロスダイクロイックプリズムとをさら
に備え、
前記光学素子は、前記複数の液晶装置のうち少なくとも１つの液晶装置の光射出側に配
置されており、
前記光学素子の光学要素と他の光学要素とのうち前記偏光板における前記液晶装置側の
面とは反対側の面に接着される反対側光学要素は、前記クロスダイクロイックプリズムで
あることを特徴とするプロジェクタ。
【請求項９】
請求項６又は７に記載のプロジェクタにおいて、
前記光学素子は、前記液晶装置の光射出側に配置されており、
前記光学素子の光学要素と他の光学要素とのうち前記偏光板における前記液晶装置側の
面に接着される液晶装置側光学要素は、入射する光のうち所定の方向に軸を有する直線偏
光を透過しその他の光を反射する機能を有する偏光分離光学素子であることを特徴とする
プロジェクタ。
【発明の詳細な説明】
【技術分野】
【０００１】
本発明は、光学素子及びプロジェクタに関する。
【背景技術】
【０００２】
光学機器に用いられる偏光板としては、通常、ポリビニルアルコール（ＰＶＡ）からな
る偏光層の片面又は両面に、機械的強度等を確保するための三酢酸セルロース（ＴＡＣ：
トリアセチルセルロース）からなる支持層が積層された２層構造又は３層構造の偏光板が
知られている（例えば、特許文献１参照。）。三酢酸セルロースからなる支持層は、透明
性、均一性、平面性等に優れ、分子配向による異方性が非常に小さいことから、偏光層を
支持するための支持層として好適に使用されている。
【０００３】
ところで、従来の偏光板においては、偏光層を通過しない光は内部で吸収されるため、
多量の熱が発生して偏光板の温度上昇を招くこととなる。このため、偏光板が劣化して偏
光板の偏光特性が低下してしまうという問題があった。
【０００４】
そこで、このような問題を解決するための光学素子として、偏光板の両面（偏光板にお
ける支持層のさらに外側）に熱伝導性の透光性基板を貼り付けた構造を有する光学素子が
開示されている（例えば、特許文献２参照。）。この光学素子によれば、偏光板で発生し
た熱は、熱伝導性の透光性基板を介して系外に放散されるようになるため、偏光板の温度
上昇を抑制することが可能になる。このため、偏光板が劣化して偏光板の偏光特性が低下
してしまうのを抑制することが可能になる。
【０００５】
【特許文献１】特開平７−２０３１７号公報
【特許文献２】特開２０００−１１２０２２号公報
【発明の開示】
【発明が解決しようとする課題】
【０００６】
しかしながら、従来の光学素子においては、三酢酸セルロースからなる支持層は、温度
や湿度などの影響により黄変が発生したり機械特性が低下したりするという問題があった
。
【０００７】
そこで、本発明は、このような問題を解決するためになされたもので、黄変の発生及び
機械特性の低下を抑制することが可能な光学素子及びプロジェクタを提供することを目的
とする。
【課題を解決するための手段】
【０００８】
本発明の発明者らは、上記目的を達成するため、従来の光学素子において、三酢酸セル
ロースからなる支持層において黄変が発生したり機械特性が低下したりする原因を究明す
べく鋭意努力を重ねた結果、この原因は、支持層である三酢酸セルロースから酢酸が遊離
することにあるという知見を得た。
【０００９】
すなわち、従来の光学素子においては、可塑剤として、リン酸エステルなどの添加剤を
用いている。このようなリン酸エステルなどの添加剤は、高温環境下において加水分解さ
れて強酸を遊離する性質を有するため、この遊離された強酸が三酢酸セルロースから酢酸
を遊離させてしまう。その結果、黄変が発生したり機械特性が低下したりするのである。
【００１０】
そこで、本発明の発明者らは、以上の知見に基づいて、支持層として、強酸を遊離する
添加物を含有しない三酢酸セルロースからなる支持層を用いれば、黄変の発生及び機械特
性の低下を抑制することが可能になることに想到し、本発明を完成させるに至った。
【００１１】
また、支持層として、三酢酸セルロースの持つアセチル基の酸素原子２重結合を２つの
単結合に処理した支持層を用いれば、黄変の発生及び機械特性の低下を抑制することが可
能になることに想到し、本発明を完成させるに至った。
【００１２】
本発明の光学素子は、偏光層及び前記偏光層を支持する少なくとも１つの支持層を有す
る偏光板と、前記偏光板における一方の面に接着層を介して接着された光学要素と、前記
偏光板における他方の面に接着層を介して接着された他の光学要素とを備え、前記支持層
は、三酢酸セルロースを含み、前記支持層は、前記三酢酸セルロースから酢酸が遊離され
ないように構成されていることを特徴とする。
【００１３】
このため、本発明の光学素子によれば、支持層の三酢酸セルロースから酢酸が遊離され
ないように構成されているため、高温環境下で支持層である三酢酸セルロースから、酢酸
が遊離することがなくなるため、黄変の発生及び機械特性の低下を抑制することが可能と
なる。
【００１４】
ところで、偏光層及び少なくとも１つの支持層からなる偏光板を光学要素の片面に貼り
付けた構造を有する光学素子において、三酢酸セルロースから酢酸が遊離されないように
構成されている支持層を用いた場合にも、上記した理由と同様のことが言えるため、黄変
の発生及び機械特性の低下を抑制することが可能となる。
【００１５】
しかしながら、本発明の光学素子のように、「偏光板を光学要素及び他の光学要素によ
って両面から挟んだ構造を有する光学素子において、三酢酸セルロースから酢酸が遊離さ
れないように構成されている支持層を用いた場合」には、「偏光板を光学要素の片面に貼
り付けた構造を有する光学素子において、三酢酸セルロースから酢酸が遊離されないよう
に構成されている支持層を用いた場合」では予測できないほどの有利な効果を得ることが
できる。その結果、本発明の光学素子は、黄変の発生及び機械特性の低下を十分に抑制す
ることが可能な光学素子となる。なお、本発明で得られる有利な効果については、発明を
実施するための最良の形態において後述する。
【００１６】
本発明の光学素子によれば、偏光板における一方の面には光学要素が接着され、偏光板
における他方の面には他の光学要素が接着されているため、偏光板で発生した熱を光学要
素及び他の光学要素に伝達することが可能になる。その結果、偏光板の温度上昇を抑制す
ることが可能となる。
【００１７】
また、本発明の光学素子によれば、偏光板を光学要素及び他の光学要素によって両面か
ら挟んだ構造を有しているため、所定の機械的強度を得ることができる。
【００１８】
また、本発明の光学素子によれば、偏光板と光学要素及び偏光板と他の光学要素は、そ
れぞれ接着層を介して接着されているため、各部材間の界面における表面反射の発生が抑
制され、光透過率を高めることが可能となる。また、偏光板、光学要素及び他の光学要素
の線膨張係数がそれぞれ異なる場合であっても、各部材間の接着面における剥離が起こり
にくくなり、長期信頼性の低下を抑制することが可能となる。
【００１９】
なお、この明細書における「接着層」には、接着剤からなる接着層だけではなく粘着剤
からなる粘着層も含まれる。
【００２０】
本発明の光学素子においては、前記支持層は、高温で強酸を遊離する添加物を含有しな
いことが好ましい。
【００２１】
このように構成することにより、高温環境下において添加物に起因する強酸の遊離を抑
制することが可能となるため、添加物から遊離された強酸によって三酢酸セルロースから
酢酸が遊離されてしまうのを抑制することができ、支持層において黄変が発生したり機械
特性が低下したりすることを抑制することが可能となる。
【００２２】
本発明の光学素子においては、前記支持層は、前記三酢酸セルロースの持つアセチル基
の酸素原子２重結合が２つの単結合に処理されていることが好ましい。
【００２３】
このように構成することにより、三酢酸セルロース自体が酢酸を遊離しにくい構成を有
することとなるため、三酢酸セルロースから酢酸が遊離されてしまうのを抑制することが
でき、支持層において黄変が発生したり機械特性が低下したりすることを抑制することが
可能となる。
【００２４】
本発明の光学素子においては、前記偏光板における少なくとも前記支持層の端面は、接
着層で取り囲まれていることが好ましい。
【００２５】
ところで、三酢酸セルロースからなる支持層が外部に露出していると、外気からの水分
の浸入に起因して、支持層が膨張・変形して支持層における分子配向に乱れが発生したり
、加水分解により三酢酸セルロースから酢酸が遊離したりする結果、偏光特性が低下して
偏光板を通過する光束の品質が低下してしまうという問題がある。
これに対し、本発明の光学素子によれば、支持層の端面が接着層で取り囲まれているこ
とにより支持層が外気に触れることがなくなるため、外気からの水分の浸入を抑制するこ
とが可能になる。このため、外気からの水分の浸入に起因して、支持層が膨張・変形して
支持層における分子配向に乱れが発生したり加水分解により三酢酸セルロースから酢酸が
遊離したりしてしまうことを抑制することが可能になる。その結果、偏光板の偏光特性が
低下して偏光板を通過する光束の品質が低下してしまうのを抑制することが可能になる。
【００２６】
本発明の光学素子においては、前記光学要素及び前記他の光学要素の材料は、サファイ
ア若しくは水晶又は光学ガラスからなることが好ましい。
【００２７】
光学要素及び他の光学要素の材料がサファイア又は水晶からなる場合には、これらの材
料は熱伝導性に非常に優れているため、偏光板で発生した熱を効率よく系外に放散させる
ことができ、偏光板の温度上昇を効果的に抑制することが可能となる。
【００２８】
一方、光学要素及び他の光学要素の材料が光学ガラスからなる場合には、光学ガラスは
複屈折が小さいため、光学要素及び他の光学要素を通過する光束の品質低下を抑制するこ
とができ、偏光板に入射する光束又は偏光板から射出される光束の品質低下を抑制するこ
とができる。また、光学ガラスは熱膨張率が比較的小さいため、熱による伸び・変形が大
きいという性質を有する偏光板をこのような熱膨張率の小さな光学ガラスからなる光学要
素及び他の光学要素に接着することにより、偏光板自体の変形を抑えることができる。
【００２９】
なお、光学ガラスとしては、石英ガラス、ＢＫ７やパイレックス（登録商標）などの硼
珪酸ガラス、白板ガラス、結晶化ガラスなどを好適に用いることができる。
【００３０】
本発明の光学素子においては、前記光学要素及び前記他の光学要素は、同一材料からな
ることが好ましい。
【００３１】
このように構成することにより、製造コストの低減を図ることが可能となる。また、線
膨張係数が一致するため、内部応力による歪みを低減することが可能となる。
【００３２】
本発明のプロジェクタは、照明光束を射出する照明装置と、前記照明装置からの前記照
明光束を画像情報に応じて変調する液晶装置と、前記液晶装置で変調された光を投写する
投写光学系と、前記液晶装置の光入射側及び光射出側の少なくとも一方に配置された光学
素子とを備え、前記光学素子は上述した光学素子のいずれかであることを特徴とする。
【００３３】
このため、本発明のプロジェクタによれば、上述したように光学素子の黄変の発生及び
機械特性の低下を抑制することが可能となる。その結果、投写画像の画像品質を向上する
ことが可能となる。
【００３４】
本発明のプロジェクタにおいては、前記液晶装置の光入射側に配置される集光レンズを
さらに備え、前記光学素子は、前記液晶装置の光入射側に配置されており、前記光学素子
の光学要素と他の光学要素とのうち前記偏光板における前記液晶装置側の面とは反対側の
面に接着される反対側光学要素は集光レンズであることが好ましい。
また、本発明のプロジェクタにおいては、前記照明装置からの照明光束を複数の色光に
分離して被照明領域に導光する色分離導光光学系と、前記液晶装置として、前記色分離導
光光学系で分離された複数の色光のそれぞれを画像情報に応じて変調する複数の液晶装置
と、前記複数の液晶装置によって変調された各色光をそれぞれ入射する複数の光入射端面
及び合成された色光を射出する光射出端面を有するクロスダイクロイックプリズムとをさ
らに備え、前記光学素子は、前記複数の液晶装置のうち少なくとも１つの液晶装置の光射
出側に配置されており、前記光学素子の光学要素と他の光学要素とのうち前記偏光板にお
ける前記液晶装置側の面とは反対側の面に接着される反対側光学要素は、前記クロスダイ
クロイックプリズムであることが好ましい。
【００３５】
このように構成することにより、偏光板における偏光層で発生した熱を反対側光学要素
として熱容量の比較的大きな集光レンズ又はクロスダイクロイックプリズムに伝達するこ
とができるため、偏光板の温度上昇をさらに抑制しプロジェクタの放熱性を高めることが
可能となる。また、集光レンズ又はクロスダイクロイックプリズムを反対側光学要素とし
て兼ねることができるので、部品点数が削減されたプロジェクタとすることが可能となる
。
【００３６】
本発明のプロジェクタにおいては、前記光学素子は、前記液晶装置の光射出側に配置さ
れており、前記光学素子の光学要素と他の光学要素とのうち前記偏光板における前記液晶
装置側の面に接着される液晶装置側光学要素は、入射する光のうち所定の方向に軸を有す
る直線偏光を透過しその他の光を反射する機能を有する偏光分離光学素子であることが好
ましい。
【００３７】
このように構成することにより、当該光学要素に入射する光のうち所定の方向に軸を有
する直線偏光は、偏光分離光学素子を透過して偏光板に入射することとなる一方、その他
の光、すなわち偏光板への進行を禁止されるべき光（偏光板を透過しない偏光成分）偏光
分離光学素子で反射されて系外に逃がされる。このため、偏光板を透過しない偏光成分の
光は前段としての偏光分離光学素子によってほとんど除去されているため、偏光板におけ
る発熱そのものが効果的に抑制され、偏光板の温度上昇をさらに抑制することが可能にな
る。
【００３８】
本発明のプロジェクタにおいては、前記偏光分離光学素子としては、誘電体多層膜から
なる偏光分離光学素子、多数の微細金属細線が配列されたワイヤグリッド型の偏光分離光
学素子、二軸方向性の有るフィルムを複数枚積層してＸＹ型の偏光特性を持たせたＸＹ型
偏光フィルムを用いた偏光分離光学素子などを好ましく用いることができる。
【００３９】
本発明のプロジェクタにおいては、前記液晶装置の光入射側に配置される集光レンズを
さらに備え、前記液晶装置の光入射側に配置された前記偏光板に接着された前記反対側光
学要素は、前記集光レンズの光入射面に接着層を介して接着されていることが好ましい。
【００４０】
本発明のプロジェクタにおいては、各光学系を内部に収納する筐体と、前記光学素子の
前記光学要素と前記筐体との間及び前記光学素子の前記他の光学要素と前記筐体との間の
うち少なくとも一方で熱を伝達する熱伝導部材とをさらに備えることが好ましい。
【００４１】
このように構成することにより、偏光板で発生した熱は、光学要素及び他の光学要素並
びに熱伝導部材を介し筐体に放散されるようになるため、プロジェクタの放熱性能を高め
ることができる。
【００４２】
前記熱伝導部材は、金属からなることが好ましい。
【００４３】
本発明のプロジェクタにおいては、前記光学要素及び前記他の光学要素のうち少なくと
も一方を冷却する冷却風流路が設けられていることが好ましい。
【００４４】
このように構成することにより、冷却風流路からの冷却風によって光学要素及び他の光
学要素のうち少なくとも一方を冷却することができるため、光学要素及び他の光学要素の
うち少なくとも一方の温度上昇を抑制し、偏光板で発生した熱を効率的に除去することが
できる。
【発明を実施するための最良の形態】
【００４５】
以下、本発明の光学素子及びプロジェクタについて、図に示す実施の形態に基づいて説
明する。
【００４６】
［実施形態１］
実施形態１では、本発明の光学素子について説明する。
まず、実施形態１に係る光学素子の構成及び比較例１〜３に係る光学素子１ａ〜１ｃの
構成について、図１を用いて説明する。
【００４７】
図１は、実施形態１に係る光学素子１を説明するために示す図である。図１（ａ）は実
施形態１に係る光学素子１を模式的に示す図であり、図１（ｂ）は比較例１に係る光学素
子１ａを模式的に示す図であり、図１（ｃ）は比較例２に係る光学素子１ｂを模式的に示
す図であり、図１（ｄ）は比較例３に係る光学素子１ｃを模式的に示す図である。
【００４８】
実施形態１に係る光学素子１は、図１（ａ）に示すように、偏光板１０と、偏光板１０
における一方の面（支持層１４の表面）に接着層Ｃを介して接着された光学要素としての
透光性基板２０と、偏光板１０における他方の面（偏光層１２の表面）に接着層Ｃを介し
て接着された他の光学要素としての透光性基板３０とを備える光学素子である。
【００４９】
偏光板１０は、偏光層１２と、偏光層１２を支持する支持層１４とを有している。偏光
層１２としては、例えばポリビニルアルコール（ＰＶＡ）をヨウ素又は二色性染料で染色
し一軸延伸して、該染料の分子を一方向に配列させるように形成された偏光層を好ましく
用いることができる。このように形成された偏光層１２は、前記一軸延伸方向に平行な方
向の偏光を吸収し、一方、前記一軸延伸方向に垂直な方向の偏光を透過させる。偏光層１
２は延伸状態から元の状態に戻ろうとする力が大きいので、その力を規制するために、偏
光層１２を支持する支持層１４が設けられている。支持層１４としては、三酢酸セルロー
ス（ＴＡＣ：トリアセチルセルロース）からなる支持層を用いている。支持層１４は、三
酢酸セルロースから酢酸が遊離されないように構成されている。具体的には、支持層１４
は、高温で強酸を遊離する添加物を含有しておらず、三酢酸セルロースの持つアセチル基
の酸素原子２重結合が２つの単結合に処理されている。
【００５０】
透光性基板２０，３０の材料は、例えばサファイアからなる。サファイアからなる透光
性基板２０，３０は、熱伝導率が約４０Ｗ／（ｍ・Ｋ）と高い上、硬度も非常に高く、熱
膨張率は小さく、傷がつきにくく透明度が高い。なお、中程度の輝度として安価性を重視
する場合には、約１０Ｗ／（ｍ・Ｋ）の熱伝導率を有する水晶からなる透光性基板を用い
てもよい。透光性基板２０，３０の厚さは、熱伝導性の観点からいえば０．２ｍｍ以上で
あることが好ましく、光学素子の薄型化の観点からいえば２．０ｍｍ以下であることが好
ましい。
【００５１】
透光性基板２０における偏光板１０とは反対側の面及び透光性基板３０における偏光板
１０とは反対側の面には、図示しない反射防止層が形成されている。
【００５２】
偏光板１０にける偏光層１２及び支持層１４の端面は、接着層Ｃで取り囲まれている。
接着層Ｃに用いる接着剤としては、例えばＵＶ硬化性の接着剤や可視光短波長硬化性の接
着剤などを好適に用いることができる。なお、粘着剤を用いてもよい。
【００５３】
比較例１に係る光学素子１ａは、図１（ｂ）に示すように、偏光板１０ａと、偏光板１
０ａにおける一方の面（支持層１４ａの表面）に接着層Ｃを介して接着された光学要素と
しての透光性基板２０とを備える光学素子である。比較例１に係る光学素子１ａは、他の
光学要素としての透光性基板３０を備えていない点及び支持層の材料が異なる点で、実施
形態１に係る光学素子１とは異なる。
【００５４】
偏光板１０ａは、偏光層１２と、偏光層１２を支持する支持層１４ａとを有している。
偏光層１２としては、実施形態１に係る光学素子１の場合と同様に、ポリビニルアルコー
ル（ＰＶＡ）をヨウ素又は二色性染料で染色し一軸延伸して、該染料の分子を一方向に配
列させるように形成された偏光層を用いている。支持層１４ａとしては、高温で強酸を遊
離する添加物を含有する三酢酸セルロースからなる支持層を用いており、三酢酸セルロー
スの持つアセチル基は酸素原子２重結合を有している。当該添加物としては、例えば、可
塑剤として用いられるリン酸エステルなどが挙げられる。
【００５５】
透光性基板２０における偏光板１０ａとは反対側の面及び偏光層１２における支持層１
４ａとは反対側の表面には、図示しない反射防止層が形成されている。
【００５６】
なお、比較例１に係る光学素子１ａにおける透光性基板２０は、実施形態１に係る光学
素子１で説明したものと同じであるため、説明は省略する。
【００５７】
比較例２に係る光学素子１ｂは、図１（ｃ）に示すように、偏光板１０ａと、偏光板１
０ａにおける一方の面（支持層１４ａの表面）に接着層Ｃを介して接着された光学要素と
しての透光性基板２０と、偏光板１０ａにおける他方の面（偏光層１２の表面）に接着層
Ｃを介して接着された他の光学要素としての透光性基板３０とを備える光学素子である。
比較例２に係る光学素子１ｂは、支持層の材料が異なる点で、実施形態１に係る光学素子
１とは異なる。
【００５８】
なお、比較例２に係る光学素子１ｂにおける支持層１４ａは、比較例１に係る光学素子
１ａで説明したものと同じであり、比較例２に係る光学素子１ｂにおける透光性基板２０
，３０は、実施形態１に係る光学素子１で説明したものと同じであるため、これらの説明
は省略する。
【００５９】
比較例３に係る光学素子１ｃは、図１（ｄ）に示すように、偏光板１０と、偏光板１０
における一方の面（支持層１４の表面）に接着層Ｃを介して接着された光学要素としての
透光性基板２０とを備える光学素子である。比較例３に係る光学素子１ｃは、他の光学要
素としての透光性基板３０を備えていない点で、実施形態１に係る光学素子１とは異なる
。
【００６０】
なお、比較例３に係る光学素子１ｃにおける偏光板１０及び透光性基板２０は、実施形
態１に係る光学素子１で説明したものと同じであるため、説明は省略する。
【００６１】
次に、実施形態１に係る光学素子１と比較例１〜３に係る光学素子１ａ〜１ｃを比較し
た場合における、実施形態１に係る光学素子１が有する効果について、図１又は図２を用
いて説明する。
図２は、実施形態１に係る光学素子１が有する効果について説明するために示す図であ
る。
【００６２】
本発明の発明者らは、本発明の光学素子（実施形態１に係る光学素子１）が有する効果
を確認するため、実施形態１に係る光学素子１、比較例１に係る光学素子１ａ、比較例２
に係る光学素子１ｂ及び比較例３に係る光学素子１ｃについて、１１０℃の恒温槽に２０
００時間投入したときの各光学素子の劣化量を比較するための劣化量比較試験を行った。
なお、当該試験を行うにあたり、支持層以外の要素（例えば偏光層）による初期的な変質
に起因した初期劣化を除外するため、恒温槽投入後から２４時間経過後における初期劣化
量については除外して算出している。
【００６３】
上記の劣化量比較試験を行った結果、実施形態１に係る光学素子１については、試験前
の光学素子１に対する試験後の光学素子１の劣化量は約０．１５％であった。また、比較
例１に係る光学素子１ａについては、その劣化量は約８％であり、比較例２に係る光学素
子１ｂについては、その劣化量は約４０％であり、比較例３に係る光学素子１ｃについて
は、その劣化量は約５％であった。
【００６４】
以上の試験結果より、比較例２に係る光学素子１ｂは、比較例１に係る光学素子１ａと
比べて約０．２倍に耐久性が低下していると判断できる。同様に、比較例３に係る光学素
子１ｃは、比較例１に係る光学素子１ａと比べて約１．５倍に耐久性が向上していると判
断でき、実施形態１に係る光学素子１は、比較例１に係る光学素子１ａと比べて約５０倍
に耐久性が向上していると判断できる。
【００６５】
このように、比較例１及び２に係る光学素子１ａ，１ｂによれば、可塑剤として、リン
酸エステルなどの添加剤を用いており、このようなリン酸エステルなどの添加剤が高温環
境下において加水分解されて強酸を遊離する性質を有するため、この遊離された強酸が三
酢酸セルロースを攻撃して三酢酸セルロースを変性させてしまう。また、三酢酸セルロー
スの持つアセチル基は酸素原子２重結合を有しているため、三酢酸セルロース自体が酢酸
を遊離しやすい。その結果、黄変が発生したり機械特性が低下したりするため、光学素子
１ａ，１ｂの耐久性が低くなると考えられる。
【００６６】
これに対し、実施形態１に係る光学素子１によれば、支持層１４が高温で強酸を遊離す
る添加物を含有しておらず、三酢酸セルロースの持つアセチル基の酸素原子２重結合が２
つの単結合に処理されているため、高温環境下において添加物に起因する強酸の遊離を抑
制することができ、三酢酸セルロース自体の酢酸の遊離を抑制することが可能となる。そ
の結果、遊離された強酸によって三酢酸セルロースが攻撃されて変性してしまうことがな
くなるため、黄変の発生及び機械特性の低下を抑制することが可能となる。
【００６７】
また、実施形態１に係る光学素子１による上記の耐久性向上効果は、図２からもわかる
ように、比較例１〜３に係る光学素子１ａ〜１ｃからは予測できないほどの有利な効果で
ある。この理由はについてはまだ詳細は不明であるが、（ア）偏光板１０を透光性基板２
０，３０によって両面から挟んだ構造を有すること、及び（イ）高温で強酸を遊離する添
加物を含有しない三酢酸セルロースからなる支持層１４を用いたこと、（ウ）三酢酸セル
ロースの持つアセチル基の酸素原子２重結合が２つの単結合に処理されている支持層１４
を用いたことの相乗効果によるものと考えられる。
以上より、実施形態１に係る光学素子１は、黄変の発生及び機械特性の低下を十分に抑
制することが可能な光学素子となる。
【００６８】
実施形態１に係る光学素子１によれば、偏光板１０における一方の面には透光性基板２
０が接着され、偏光板１０における他方の面には透光性基板３０が接着されているため、
偏光板１０で発生した熱を透光性基板２０，３０に伝達することが可能になる。その結果
、偏光板１０の温度上昇を抑制することが可能となる。
【００６９】
また、実施形態１に係る光学素子１によれば、偏光板１０を透光性基板２０，３０によ
って両面から挟んだ構造を有しているため、所定の機械的強度を得ることができる。
【００７０】
また、実施形態１に係る光学素子１によれば、偏光板１０と透光性基板２０及び偏光板
１０と透光性基板３０は、それぞれ接着層Ｃを介して接着されているため、各部材間の界
面における表面反射の発生が抑制され、光透過率を高めることが可能となる。また、偏光
板１０及び透光性基板２０，３０の線膨張係数がそれぞれ異なる場合であっても、各部材
間の接着面における剥離が起こりにくくなり、長期信頼性の低下を抑制することが可能と
なる。
【００７１】
実施形態１に係る光学素子１においては、偏光板１０における偏光層１２及び支持層１
４の端面は、接着層Ｃで取り囲まれている。これにより、支持層１４が外気に触れること
がなくなるため、外気からの水分の浸入を抑制することが可能になる。このため、外気か
らの水分の浸入に起因して、支持層１４が膨張・変形して支持層１４における分子配向の
乱れが発生したり加水分解により三酢酸セルロースから酢酸がを遊離したりしてしまうこ
とを抑制することが可能になる。その結果、偏光板１０の偏光特性が低下して偏光板１０
を通過する光束の品質が低下してしまうのを抑制することが可能になる。
【００７２】
実施形態１に係る光学素子１においては、透光性基板２０，３０の材料は、サファイア
からなる。サファイアは熱伝導性に非常に優れているため、偏光板１０で発生した熱を効
率よく系外に放散させることができ、偏光板１０の温度上昇を効果的に抑制することが可
能となる。
【００７３】
実施形態１に係る光学素子１においては、透光性基板２０，３０は、同一材料からなる
ため、製造コストの低減を図ることが可能となる。また、線膨張係数が一致するため、内
部応力による歪みを低減することが可能となる。
【００７４】
なお、実施形態１に係る光学素子１においては、偏光板として、偏光層１２及び偏光層
１２を片面から支持する支持層１４を有する偏光板１０を用いていたが、本発明はこれに
限定されるものではなく、例えば次のような変形も可能である。
【００７５】
［変形例］
図３は、実施形態１の変形例に係る光学素子２を模式的に示す図である。なお、図３に
おいて、図１（ａ）と同一の部材については同一の符号を付し、詳細な説明は省略する。
【００７６】
実施形態１の変形例に係る光学素子２は、基本的には実施形態１に係る光学素子１とよ
く似た構成を有しているが、偏光板の構成が実施形態１に係る光学素子１とは異なってい
る。
【００７７】
すなわち、変形例に係る光学素子２においては、図３に示すように、偏光板として、偏
光層１２と、偏光層１２を両面から支持する支持層１４，１６とを有する偏光板１１を用
いている。偏光層１２及び支持層１４，１６の材料は、実施形態１で説明したものと同じ
である。
【００７８】
このように、実施形態１の変形例に係る光学素子２は、実施形態１に係る光学素子１の
場合とは、偏光板の構成が異なるが、実施形態１に係る光学素子１の場合と同様に、支持
層１４，１６は、高温で強酸を遊離する添加物を含有しない三酢酸セルロースからなるた
め、高温環境下において添加物に起因する強酸の遊離を抑制することが可能となる。また
、支持層１４，１６は、三酢酸セルロースの持つアセチル基の酸素原子２重結合が２つの
単結合に処理されているため、三酢酸セルロース自体が酢酸を遊離しにくくなっている。
その結果、遊離された強酸によって三酢酸セルロースが攻撃されて変性してしまうことが
なくなるため、黄変の発生及び機械特性の低下を抑制することが可能となる。その結果、
投写画像の画像品質を向上することが可能となる。
【００７９】
［実施形態２］
実施形態２では、本発明のプロジェクタについて説明する。
まず、実施形態２に係るプロジェクタ１０００の構成について、図４〜図６を用いて説
明する。
【００８０】
図４は、実施形態２に係るプロジェクタ１０００の光学系を示す図である。図５及び図
６は、実施形態２に係るプロジェクタ１０００の要部を説明するために示す図である。図
５（ａ）はクロスダイクロイックプリズム５００の周辺部分を上面から見た図であり、図
５（ｂ）は図５（ａ）のＡ−Ａ断面図である。図６（ａ）は入射側偏光板４２０Ｒの周辺
部分を側面から見た図であり、図６（ｂ）は射出側偏光板４５０Ｒの周辺部分を側面から
見た図である。
【００８１】
実施形態２に係るプロジェクタ１０００は、図４に示すように、照明装置１００と、照
明装置１００からの照明光束を赤色光、緑色光及び青色光の３つの色光に分離して被照明
領域に導光する色分離導光光学系２００と、色分離導光光学系２００で分離された３つの
色光のそれぞれを画像情報に応じて変調する電気光学変調装置としての３つの液晶装置４
１０Ｒ，４１０Ｇ，４１０Ｂ及び３つの液晶装置４１０Ｒ，４１０Ｇ，４１０Ｂによって
変調された色光を合成するクロスダイクロイックプリズム５００と、クロスダイクロイッ
クプリズム５００によって合成された光をスクリーンＳＣＲ等の投写面に投写する投写光
学系６００とを備えたプロジェクタである。これら各光学系は、筐体７００に収納されて
いる。
【００８２】
照明装置１００は、被照明領域側に略平行な照明光束を射出する光源としての光源装置
１１０と、光源装置１１０から射出される照明光束を複数の部分光束に分割するための複
数の第１小レンズ１２２を有する第１レンズアレイ１２０と、第１レンズアレイ１２０の
複数の第１小レンズ１２２に対応する複数の第２小レンズ１３２を有する第２レンズアレ
イ１３０と、光源装置１１０から射出される偏光方向の揃っていない照明光束を略１種類
の直線偏光に揃える偏光変換素子１４０と、偏光変換素子１４０から射出される各部分光
束を被照明領域で重畳させるための重畳レンズ１５０とを有している。
【００８３】
光源装置１１０は、リフレクタとしての楕円面リフレクタ１１４と、楕円面リフレクタ
１１４の第１焦点近傍に発光中心を有する発光管１１２と、楕円面リフレクタ１１４の反
射凹面と対向する反射面を有する副鏡１１６と、楕円面リフレクタ１１４で反射される集
束光を略平行な光に変換する凹レンズ１１８とを有している。光源装置１１０は、照明光
軸１００ａｘを中心軸とする光束を射出する。
【００８４】
発光管１１２は、管球部と、管球部の両側に延びる一対の封止部とを有している。
楕円面リフレクタ１１４は、発光管１１２の一方の封止部に挿通・固着される筒状の首
状部と、発光管１１２から放射された光を第２焦点位置に向けて反射する反射凹面とを有
している。
副鏡１１６は、発光管１１２の管球部を挟んで楕円面リフレクタ１１４と対向して設け
られ、発光管１１２から放射された光のうち楕円面リフレクタ１１４に向かわない光を発
光管１１２に戻し楕円面リフレクタ１１４に入射させる。
【００８５】
凹レンズ１１８は、楕円面リフレクタ１１４の被照明領域側に配置されている。そして
、楕円面リフレクタ１１４からの光を略平行化するように構成されている。
【００８６】
第１レンズアレイ１２０は、凹レンズ１１８からの光を複数の部分光束に分割する光束
分割光学素子としての機能を有し、照明光軸１００ａｘと直交する面内にマトリクス状に
配列される複数の第１小レンズ１２２を備えた構成を有している。図示による説明は省略
するが、第１小レンズ１２２の外形形状は、液晶装置４１０Ｒ，４１０Ｇ，４１０Ｂの画
像形成領域の外形形状に関して相似形である。
【００８７】
第２レンズアレイ１３０は、第１レンズアレイ１２０により分割された複数の部分光束
を集光する光学素子であり、第１レンズアレイ１２０と同様に照明光軸１００ａｘに直交
する面内にマトリクス状に配列される複数の第２小レンズ１３２を備えた構成を有してい
る。
【００８８】
偏光変換素子１４０は、第１レンズアレイ１２０により分割された各部分光束の偏光方
向を、偏光方向の揃った略１種類の直線偏光光として射出する偏光変換素子である。
偏光変換素子１４０は、光源装置１１０からの照明光束に含まれる偏光成分のうち一方
の直線偏光成分を透過し他方の直線偏光成分を照明光軸１００ａｘに垂直な方向に反射す
る偏光分離層と、偏光分離層で反射された他方の直線偏光成分を照明光軸１００ａｘに平
行な方向に反射する反射層と、反射層で反射された他方の直線偏光成分を一方の直線偏光
成分に変換する位相差板とを有している。
【００８９】
重畳レンズ１５０は、第１レンズアレイ１２０、第２レンズアレイ１３０及び偏光変換
素子１４０を経た複数の部分光束を集光して、液晶装置４１０Ｒ，４１０Ｇ，４１０Ｂに
おける画像形成領域近傍に重畳させる光学素子である。なお、図４に示す重畳レンズ１５
０は１枚のレンズで構成されているが、複数のレンズを組み合わせた複合レンズで構成さ
れていてもよい。
【００９０】
色分離導光光学系２００は、ダイクロイックミラー２１０，２２０と、反射ミラー２３
０，２４０，２５０と、入射側レンズ２６０と、リレーレンズ２７０とを有している。色
分離導光光学系２００は、照明装置１００から射出される照明光束を赤色光、緑色光及び
青色光の３つの色光に分離して、それぞれの色光を照明対象となる液晶装置４１０Ｒ，４
１０Ｇ，４１０Ｂに導く機能を有している。
【００９１】
ダイクロイックミラー２１０，２２０は、基板上に所定の波長領域の光束を反射し、他
の波長領域の光束を透過する波長選択膜が形成された光学素子である。光路前段に配置さ
れるダイクロイックミラー２１０は、赤色光成分を反射し、その他の色光成分を透過する
ミラーである。光路後段に配置されるダイクロイックミラー２２０は、青色光成分を透過
し、緑色光成分を反射するミラーである。
【００９２】
ダイクロイックミラー２１０で反射された赤色光成分は、反射ミラー２３０により曲折
され、集光レンズ３００Ｒを介して赤色光用の液晶装置４１０Ｒの画像形成領域に入射す
る。
【００９３】
集光レンズ３００Ｒは、重畳レンズ１５０からの各部分光束を各主光線に対して略平行
な光束に変換するために設けられている。集光レンズ３００Ｒは、図示しない熱伝導性の
保持部材によって保持されており、この熱伝導性の保持部材を介して筐体７００に配設さ
れている。他の集光レンズ３００Ｇ，３００Ｂも、集光レンズ３００Ｒと同様に構成され
ている。
【００９４】
ダイクロイックミラー２１０を通過した緑色光成分及び青色光成分のうち緑色光成分は
、ダイクロイックミラー２２０によって反射され、集光レンズ３００Ｇを通過して緑色光
用の液晶装置４１０Ｇの画像形成領域に入射する。一方、青色光成分は、ダイクロイック
ミラー２２０を透過し、入射側レンズ２６０、入射側の反射ミラー２４０、リレーレンズ
２７０、射出側の反射ミラー２５０及び集光レンズ３００Ｂを通過して青色光用の液晶装
置４１０Ｂの画像形成領域に入射する。入射側レンズ２６０、リレーレンズ２７０及び反
射ミラー２４０，２５０は、ダイクロイックミラー２２０を透過した青色光成分を液晶装
置４１０Ｂまで導く機能を有している。
【００９５】
なお、青色光の光路にこのような入射側レンズ２６０、リレーレンズ２７０及び反射ミ
ラー２４０，２５０が設けられているのは、青色光の光路の長さが他の色光の光路の長さ
よりも長いため、光の発散等による光の利用効率の低下を防止するためである。実施形態
２に係るプロジェクタ１０００においては、青色光の光路の長さが長いのでこのような構
成とされているが、赤色光の光路の長さを長くして、入射側レンズ２６０、リレーレンズ
２７０及び反射ミラー２４０，２５０を赤色光の光路に用いる構成も考えられる。
【００９６】
液晶装置４１０Ｒ，４１０Ｇ，４１０Ｂは、照明光束を画像情報に応じて変調するもの
であり、照明装置１００の照明対象となる。
各液晶装置４１０Ｒ，４１０Ｇ，４１０Ｂは、一対の透明なガラス基板に電気光学物質
である液晶を封入したものであり、例えば、ポリシリコンＴＦＴをスイッチング素子とし
て、与えられた画像信号に従って、入射側偏光板４２０Ｒ，４２０Ｇ，４２０Ｂから射出
された１種類の直線偏光の偏光方向を変調する。液晶装置４１０Ｒ，４１０Ｇ，４１０Ｂ
は、図示を省略したが、例えばアルミニウム製のダイキャストフレームからなる液晶装置
保持枠に保持されている。
【００９７】
入射側偏光板４２０Ｒ，４２０Ｇ，４２０Ｂは、図５に示すように、集光レンズ３００
Ｒ，３００Ｇ，３００Ｂと液晶装置４１０Ｒ，４１０Ｇ，４１０Ｂとの間に配置され、集
光レンズ３００Ｒ，３００Ｇ，３００Ｂから射出された光のうち、所定の方向に軸を有す
る直線偏光のみを透過し、その他の光を吸収する機能を有している。
【００９８】
入射側偏光板４２０Ｒは、図６（ａ）に示すように、偏光層４０と、偏光層４０を支持
する支持層４２とを有している。そして、支持層４２が偏光層４０における液晶装置４１
０Ｒとは反対側（集光レンズ３００Ｒ側）になるように、入射側偏光板４２０Ｒが集光レ
ンズ３００Ｒの光射出面に接着層Ｃを介して接着されている。偏光層４０としては、例え
ばポリビニルアルコール（ＰＶＡ）をヨウ素又は二色性染料で染色し一軸延伸して、該染
料の分子を一方向に配列させるように形成された偏光層を好ましく用いることができる。
このように形成された偏光層４０は、前記一軸延伸方向に平行な方向の偏光を吸収し、一
方、前記一軸延伸方向に垂直な方向の偏光を透過させる。偏光層４０は延伸状態から元の
状態に戻ろうとする力が大きいので、その力を規制するために、偏光層４０を支持する支
持層４２が設けられている。支持層４２としては、三酢酸セルロース（ＴＡＣ：トリアセ
チルセルロース）からなる支持層を用いている。他の入射側偏光板４２０Ｇ，４２０Ｂも
、入射側偏光板４２０Ｒと同様に構成されている。
【００９９】
入射側偏光板４２０Ｒ，４２０Ｇ，４２０Ｂにおける液晶装置側（光射出側）の面には
、液晶装置側光学要素としての透光性基板４３０Ｒ，４３０Ｇ，４３０Ｂがそれぞれ接着
層Ｃを介して接着されている。透光性基板４３０Ｒ，４３０Ｇ，４３０Ｂの光射出面には
、図示しない反射防止層が形成されている。透光性基板４３０Ｒ，４３０Ｇ，４３０Ｂは
、例えばサファイアからなる透光性基板である。サファイアからなる透光性基板は、熱伝
導率が約４０Ｗ／（ｍ・Ｋ）と高い上、硬度も非常に高く、熱膨張率は小さく、傷がつき
にくく透明度が高い。なお、中程度の輝度として安価性を重視する場合には、約１０Ｗ／
（ｍ・Ｋ）の熱伝導率を有する水晶からなる透光性基板を用いてもよい。透光性基板４３
０Ｒ，４３０Ｇ，４３０Ｂの厚さは、熱伝導性の観点からいえば０．２ｍｍ以上であるこ
とが好ましく、装置の小型化の観点からいえば２．０ｍｍ以下であることが好ましい。
【０１００】
入射側偏光板４２０Ｒ，４２０Ｇ，４２０Ｂにおける液晶装置側の面とは反対側（光入
射側）の面には、反対側光学要素としての透光性基板４４０Ｒ，４４０Ｇ，４４０Ｂがそ
れぞれ接着層Ｃを介して接着されている。透光性基板４４０Ｒ，４４０Ｇ，４４０Ｂの光
入射面には、図示しない反射防止層が形成されている。透光性基板４４０Ｒ，４４０Ｇ，
４４０Ｂは、透光性基板４３０Ｒ，４３０Ｇ，４３０Ｂと同様に、例えばサファイアから
なる透光性基板である。
【０１０１】
射出側偏光板４５０Ｒ，４５０Ｇ，４５０Ｂは、図５に示すように、液晶装置４１０Ｒ
，４１０Ｇ，４１０Ｂとクロスダイクロイックプリズム５００との間に配置され、液晶装
置４１０Ｒ，４１０Ｇ，４１０Ｂから射出された光のうち、所定の方向に軸を有する直線
偏光のみを透過し、その他の光を吸収する機能を有している。
【０１０２】
射出側偏光板４５０Ｒは、図６（ｂ）に示すように、偏光層５０と、偏光層５０を支持
する支持層５２とを有している。そして、支持層５２が偏光層５０における液晶装置４１
０Ｒとは反対側（クロスダイクロイックプリズム５００側）になるように、射出側偏光板
４５０Ｒがクロスダイクロイックプリズム５００の光入射端面に接着層Ｃを介して接着さ
れている。偏光層５０及び支持層５２としては、入射側偏光板４２０Ｒのものと同様の材
料を用いることができる。他の射出側偏光板４５０Ｇ，４５０Ｂも、射出側偏光板４５０
Ｒと同様に構成されている。
【０１０３】
射出側偏光板４５０Ｒ，４５０Ｇ，４５０Ｂにおける液晶装置側（光入射側）の面には
、液晶装置側光学要素としての透光性基板４６０Ｒ，４６０Ｇ，４６０Ｂがそれぞれ接着
層Ｃを介して接着されている。透光性基板４６０Ｒ，４６０Ｇ，４６０Ｂの光入射面には
、図示しない反射防止層が形成されている。透光性部材４６０Ｒ，４６０Ｇ，４６０Ｂも
、透光性基板４３０Ｒ，４３０Ｇ，４３０Ｂなどと同様に、例えばサファイアからなる透
光性基板である。
【０１０４】
射出側偏光板４５０Ｒ，４５０Ｇ，４５０Ｂにおける液晶装置側の面とは反対側（光射
出側）の面には、反対側光学要素としての透光性基板４７０Ｒ，４７０Ｇ，４７０Ｂがそ
れぞれ接着層Ｃを介して接着されている。透光性基板４７０Ｒ，４７０Ｇ，４７０Ｂの光
射出面には、図示しない反射防止層が形成されている。透光性部材４７０Ｒ，４７０Ｇ，
４７０Ｂも、透光性基板４３０Ｒ，４３０Ｇ，４３０Ｂなどと同様に、例えばサファイア
からなる透光性基板である。
【０１０５】
入射側偏光板４２０Ｒ，４２０Ｇ，４２０Ｂにける偏光層４０及び支持層４２の端面並
びに射出側偏光板４５０Ｒ，４５０Ｇ，４５０Ｂにおける偏光層５０及び支持層５２の端
面は、接着層Ｃで取り囲まれている。接着層Ｃに用いる接着剤としては、例えばＵＶ硬化
性の接着剤や可視光短波長硬化性の接着剤などを好適に用いることができる。なお、粘着
剤を用いてもよい。
【０１０６】
これらの入射側偏光板４２０Ｒ，４２０Ｇ，４２０Ｂ及び射出側偏光板４５０Ｒ，４５
０Ｇ，４５０Ｂは、互いの偏光軸の方向が直交するように設定・配置されている。
【０１０７】
クロスダイクロイックプリズム５００は、各射出側偏光板４５０Ｒ，４５０Ｇ，４５０
Ｂから射出された各色光ごとに変調された光学像を合成して、カラー画像を形成する光学
素子である。クロスダイクロイックプリズム５００は、図５（ａ）に示すように、液晶装
置４１０Ｒ，４１０Ｇ，４１０Ｂで変調された色光をそれぞれ入射する３つの光入射端面
と、合成された色光を射出する光射出端面とを有している。このクロスダイクロイックプ
リズム５００は、４つの直角プリズムを貼り合わせた平面視略正方形状をなし、直角プリ
ズム同士を貼り合わせた略Ｘ字状の界面には、誘電体多層膜が形成されている。略Ｘ字状
の一方の界面に形成された誘電体多層膜は、赤色光を反射するものであり、他方の界面に
形成された誘電体多層膜は、青色光を反射するものである。これらの誘電体多層膜によっ
て赤色光及び青色光は曲折され、緑色光の進行方向と揃えられることにより、３つの色光
が合成される。
クロスダイクロイックプリズム５００は、熱伝導性のスペーサ７１０（図５（ｂ）参照
。）を介して筐体７００に配設されている。
【０１０８】
クロスダイクロイックプリズム５００から射出されたカラー画像は、投写光学系６００
によって拡大投写され、スクリーンＳＣＲ上で大画面画像を形成する。
【０１０９】
なお、ここでは図示を省略したが、プロジェクタ１０００内には、各光学系などを冷却
するための少なくとも１つのファン及び複数の冷却風流路が設けられている。プロジェク
タ１０００外部から取り込まれた空気は、これらファン及び複数の冷却風流路によってプ
ロジェクタ１０００内を循環し、外部へと排出される。図５に示すように、筐体７００に
設けられた通風孔（冷却風流路）から流れ込む空気が、クロスダイクロイックプリズム５
００などからの放熱を促進させる。
これにより、プロジェクタ１０００の各光学系の熱を効率的に除去することができる。
【０１１０】
このように構成された実施形態２に係るプロジェクタ１０００について説明するにあた
り、以下では説明を簡略化するため、３つの各色光の光路のうち赤色光の光路に配置され
た部材の構成をもとにして、実施形態２に係るプロジェクタ１０００をさらに詳細に説明
する。
【０１１１】
実施形態２に係るプロジェクタ１０００においては、偏光層４０及び支持層４２を有す
る入射側偏光板４２０Ｒと、入射側偏光板４２０Ｒにおける光射出面に接着層Ｃを介して
接着された透光性基板４３０Ｒと、入射側偏光板４２０Ｒにおける光入射面に接着層Ｃを
介して接着された透光性基板４４０Ｒと、偏光層５０及び支持層５２を有する射出側偏光
板４５０Ｒと、射出側偏光板４５０Ｒにおける光入射面に接着層Ｃを介して接着された透
光性基板４６０Ｒと、射出側偏光板４５０Ｒにおける光射出面に接着層Ｃを介して接着さ
れた透光性基板４７０Ｒとを備えている。そして、支持層４２，５２は、高温で強酸を遊
離する添加物を含有しない三酢酸セルロースからなり、三酢酸セルロースの持つアセチル
基の酸素原子２重結合が２つの単結合に処理されている。
【０１１２】
このため、実施形態２に係るプロジェクタ１０００によれば、支持層４２，５２が高温
で強酸を遊離する添加物を含有しない三酢酸セルロースからなるため、高温環境下におい
て添加物に起因する強酸の遊離を抑制することが可能となる。その結果、遊離された強酸
によって三酢酸セルロースが攻撃されて変性してしまうことがなくなり、かつ、三酢酸セ
ルロース自体が酢酸を遊離しにくくなっているため、黄変の発生及び機械特性の低下を抑
制することが可能となる。その結果、投写画像の画像品質を向上することが可能となる。
【０１１３】
また、実施形態２に係るプロジェクタ１０００によれば、入射側偏光板４２０Ｒにおけ
る光射出面には透光性基板４３０Ｒが接着され、入射側偏光板４２０Ｒにおける光入射面
には透光性基板４４０Ｒが接着されているため、入射側偏光板４２０Ｒで発生した熱を透
光性基板４３０Ｒ，４４０Ｒに伝達することが可能になる。その結果、入射側偏光板４２
０Ｒの温度上昇を抑制することが可能となる。
【０１１４】
また、実施形態２に係るプロジェクタ１０００によれば、射出側偏光板４５０Ｒにおけ
る光入射面には透光性基板４６０Ｒが接着され、射出側偏光板４５０Ｒにおける光射出面
には透光性基板４７０Ｒが接着されているため、射出側偏光板４５０Ｒで発生した熱を透
光性基板４６０Ｒ，４７０Ｒに伝達することが可能になる。その結果、射出側偏光板４５
０Ｒの温度上昇を抑制することが可能となる。
【０１１５】
また、実施形態２に係るプロジェクタ１０００によれば、入射側偏光板４２０Ｒを透光
性基板４３０Ｒ，４４０Ｒによって両面から挟んだ構造を有し、射出側偏光板４５０Ｒを
透光性基板４６０Ｒ，４７０Ｒによって両面から挟んだ構造を有しているため、所定の機
械的強度を得ることができる。
【０１１６】
また、実施形態２に係るプロジェクタ１０００によれば、入射側偏光板４２０Ｒと透光
性基板４３０Ｒ，４４０Ｒ及び射出側偏光板４５０Ｒと透光性基板４６０Ｒ，４７０Ｒは
、それぞれ接着層Ｃを介して接着されているため、各部材間の界面における表面反射の発
生が抑制され、光透過率を高めることが可能となる。その結果、投写画像の明るさを向上
することが可能となる。また、入射側偏光板４２０Ｒ及び透光性基板４３０Ｒ，４４０Ｒ
の線膨張係数並びに射出側偏光板４５０Ｒ及び透光性基板４６０Ｒ，４７０Ｒの線膨張係
数がそれぞれ異なる場合であっても、各部材間の接着面における剥離が起こりにくくなり
、長期信頼性の低下を抑制することが可能となる。
【０１１７】
実施形態２に係るプロジェクタ１０００においては、図５及び図６に示すように、入射
側偏光板４２０Ｒにおける偏光層４０及び支持層４２の端面並びに射出側偏光板４５０Ｒ
における偏光層５０及び支持層５２の端面は、接着層Ｃで取り囲まれている。
【０１１８】
これにより、支持層４２，５２が外気に触れることがなくなるため、外気からの水分の
浸入を抑制することが可能になる。このため、外気からの水分の浸入に起因して支持層４
２，５２が膨張・変形してしまうことが抑制され、支持層４２，５２における分子配向の
乱れの発生を抑制することが可能になる。その結果、入射側偏光板４２０Ｒ又は射出側偏
光板４５０Ｒの偏光特性が低下して入射側偏光板４２０Ｒ又は射出側偏光板４５０Ｒを通
過する光束の品質が低下してしまうのを抑制することが可能となり、投写画像の画像品質
を向上することが可能になる。
【０１１９】
実施形態２に係るプロジェクタ１０００においては、入射側偏光板４２０Ｒは、図５及
び図６（ａ）に示すように、偏光層４０の光入射側にのみ、偏光層４０を支持する支持層
４２を有している。
【０１２０】
これにより、光射出側の支持層における分子配向の乱れの発生が存在しなくなる。つま
り、支持層における熱歪による複屈折が、偏光層４０と液晶装置４１０Ｒとの間に存在し
ないので、偏光層４０で所定の方向に軸を有する直線偏光に揃えられた光がそのままの状
態で液晶装置４１０Ｒに到達することとなる。このため、入射側偏光板４２０Ｒの温度上
昇に起因して入射側偏光板としての偏光特性が大きく低下して投写画像の画像品質を大き
く低下させてしまうことがなくなる。なお、この場合、仮に温度上昇に起因して光入射側
の支持層４２における偏光特性が若干低下したとしても、その偏光特性の低下は入射側偏
光板４２０Ｒの偏光層４０で補償され、射出側偏光板４５０Ｒの偏光層５０で誤って検光
されてしまうことはないため、投写画像の画像品質を大きく低下させてしまうことはない
。
【０１２１】
実施形態２に係るプロジェクタ１０００においては、射出側偏光板４５０Ｒは、図５及
び図６（ｂ）に示すように、偏光層５０の光射出側にのみ、偏光層５０を支持する支持層
５２を有している。
【０１２２】
これにより、光入射側の支持層における分子配向の乱れの発生が存在しなくなる。つま
り、支持層における熱歪による複屈折が、偏光層５０と液晶装置４１０Ｒとの間に存在し
ないので、液晶装置４１０Ｒによって変調された光がそのままの状態で偏光層５０に到達
することとなる。このため、射出側偏光板４５０Ｒの温度上昇に起因して射出側偏光板と
しての偏光特性が大きく低下して投写画像の画像品質を大きく低下させてしまうことがな
くなる。なお、この場合、仮に温度上昇に起因して光射出側の支持層５２における偏光特
性が若干低下したとしても、その偏光特性の低下は偏光層５０で検光されてしまうことは
ないため、投写画像の画像品質を大きく低下させてしまうことはない。
【０１２３】
実施形態２に係るプロジェクタ１０００においては、透光性基板４３０Ｒ，４４０Ｒ，
４６０Ｒ，４７０Ｒは、サファイアからなる透光性基板である。
【０１２４】
サファイアからなる透光性基板は熱伝導性に非常に優れているため、入射側偏光板４２
０Ｒ又は射出側偏光板４５０Ｒで発生した熱を効率よく系外に放散させることができ、入
射側偏光板４２０Ｒ又は射出側偏光板４５０Ｒの温度上昇を効果的に抑制することが可能
となる。
【０１２５】
実施形態１に係るプロジェクタ１０００においては、透光性基板４３０Ｒ，４４０Ｒ，
４６０Ｒ，４７０Ｒは、同一材料からなる透光性基板であるため、製造コストの低減を図
ることが可能となる。また、線膨張係数が一致するため、内部応力による歪みを低減する
ことが可能となる。
【０１２６】
実施形態２に係るプロジェクタ１０００においては、図５（ｂ）及び図６に示すように
、透光性基板４３０Ｒと筐体７００との間で熱を伝達する熱伝導部材７２０と、透光性基
板４６０Ｒと筐体７００との間で熱を伝達する熱伝導部材７２２とをさらに備えている。
【０１２７】
これにより、入射側偏光板４２０Ｒ又は射出側偏光板４５０Ｒで発生した熱は、透光性
基板４３０Ｒ，４６０Ｒ及び熱伝導部材７２０，７２２を介し筐体７００に放散されるよ
うになるため、プロジェクタの放熱性能を高めることができる。
【０１２８】
熱伝導部材７２０，７２２の材料としては、例えばアルミニウムやアルミニウム合金な
どの金属を好ましく用いることができる。
【０１２９】
実施形態２に係るプロジェクタ１０００においては、透光性基板４３０Ｒ，４６０Ｒを
冷却する冷却風流路が設けられている。
【０１３０】
これにより、冷却風流路からの冷却風によって透光性基板４３０Ｒ，４６０Ｒを冷却す
ることができるため、透光性基板４３０Ｒ，４６０Ｒの温度上昇を抑制し、入射側偏光板
４２０Ｒ又は射出側偏光板４５０Ｒで発生した熱を効率的に除去することができる。
【０１３１】
［実施形態３］
図７は、実施形態３に係るプロジェクタ１００２の要部を説明するために示す図である
。図７（ａ）はクロスダイクロイックプリズム５００の周辺部分を上面から見た図であり
、図７（ｂ）は図７（ａ）のＡ−Ａ断面図である。図８は、射出側偏光板４５０Ｒの周辺
部分を側面から見た図である。なお、図７において、図５と同一の部材については同一の
符号を付し、詳細な説明は省略する。
【０１３２】
実施形態３に係るプロジェクタ１００２は、基本的には実施形態２に係るプロジェクタ
１０００とよく似た構成を有しているが、実施形態２に係るプロジェクタ１０００とは、
射出側偏光板の光入射側に接着されている部材が異なっている。
【０１３３】
すなわち、実施形態２に係るプロジェクタ１０００においては、射出側偏光板４５０Ｒ
，４５０Ｇ，４５０Ｂの光入射面には、液晶装置側光学要素としての透光性基板４６０Ｒ
，４６０Ｇ，４６０Ｂがそれぞれ接着されているのに対し、実施形態３に係るプロジェク
タ１００２においては、射出側偏光板４５０Ｒ，４５０Ｇ，４５０Ｂの光入射側面には、
図７及び図８に示すように、液晶装置側光学要素として、液晶装置４１０Ｒ，４１０Ｇ，
４１０Ｂから射出された光のうち所定の方向に軸を有する直線偏光のみを透過しその他の
光を反射する偏光分離光学素子４８０Ｒ，４８０Ｇ，４８０Ｂが接着されている。
【０１３４】
実施形態３に係るプロジェクタ１００２における偏光分離光学素子４８０Ｒ，４８０Ｇ
，４８０Ｂ等について説明するにあたり、以下では説明を簡略化するため、３つの各色光
の光路のうち赤色光の光路に配置された部材の構成をもとにして詳細に説明する。
【０１３５】
偏光分離光学素子４８０Ｒは、図８に示すように、二軸方向性の有るフィルムを複数枚
積層してＸＹ型の偏光特性を持たせたＸＹ型偏光フィルム４８２Ｒを２個のガラスプリズ
ム４８４Ｒ，４８６Ｒで挟み込んだ構造を有している。偏光分離光学素子４８０Ｒにおけ
る光入射面とＸＹ型偏光フィルム４８２Ｒとのなす角度は、例えば３０度に設定されてい
る。偏光分離光学素子４８０Ｒの光入射面には、図示しない反射防止層が形成されている
。
【０１３６】
偏光分離光学素子４８０Ｒにおいて、液晶装置４１０Ｒで変調された偏光光のうちＸＹ
型偏光フィルム４８２Ｒで反射された偏光光は、偏光分離光学素子４８０Ｒの側面からそ
のまま射出されるか、一旦偏光分離光学素子４８０Ｒの光入射面で反射されてから偏光分
離光学素子４８０Ｒの側面から射出されることになる。この場合、偏光分離光学素子４８
０Ｒの光入射面においては全反射されることになるため、迷光レベルを低減することもで
きる。
【０１３７】
偏光分離光学素子４８０Ｒの上方には、ＸＹ型偏光フィルム４８２Ｒで反射されて偏光
分離光学素子４８０Ｒから射出される偏光光を吸収するための光吸収手段４８８Ｒが配設
されている。これにより、光吸収手段４８８Ｒが、ＸＹ型偏光フィルム４８２Ｒで反射さ
れて系外に逃がされた光を効果的に捕捉するため、プロジェクタにおける迷光の発生を抑
制することが可能になり、投写画像の画像品質をさらに向上することができるようになる
。また、光吸収手段４８８Ｒが偏光分離光学素子４８０Ｒの上方に配設されているため、
光吸収手段４８８Ｒで発生した熱は対流によって光学系の上方に逃がされることになり、
光学系に与える熱の影響を最小限のものにすることができる。
【０１３８】
このように、実施形態３に係るプロジェクタ１００２は、実施形態２に係るプロジェク
タ１０００の場合とは、射出側偏光板の光入射側に接着されている部材が異なるが、実施
形態１に係るプロジェクタ１０００の場合と同様に、支持層４２，５２が高温で強酸を遊
離する添加物を含有しない三酢酸セルロースからなるため、高温環境下において添加物に
起因する強酸の遊離を抑制することが可能となる。その結果、遊離された強酸によって三
酢酸セルロースが攻撃されて変性してしまうことがなくなる。また、支持層４２，５２は
、三酢酸セルロースの持つアセチル基の酸素原子２重結合が２つの単結合に処理されてい
るため、三酢酸セルロース自体が酢酸を遊離しにくくなっている。このため、黄変の発生
及び機械特性の低下を抑制することが可能となる。その結果、投写画像の画像品質を向上
することが可能となる。
【０１３９】
実施形態３に係るプロジェクタ１００２においては、液晶装置４１０Ｒから射出された
光のうち所定の方向に軸を有する直線偏光は、偏光分離光学素子４８０Ｒを透過して投写
光学系６００（図示せず。）で投写されてスクリーンＳＣＲ（図示せず。）に投写される
こととなる一方、その他の光、すなわち投写光学系６００への進行を禁止されるべき光（
射出側偏光板４５０Ｒの偏光層５０を透過しない偏光成分）は、偏光分離光学素子４８０
Ｒで反射されて系外に逃がされる。このため、射出側偏光板４５０Ｒに入射する光のうち
射出側偏光板４５０Ｒの偏光層５０を透過しない偏光成分の光は、前段としての偏光分離
光学素子４８０Ｒによってほとんど除去されているため、射出側偏光板４５０Ｒにおける
発熱そのものが効果的に抑制され、射出側偏光板４５０Ｒの温度上昇をさらに効果的に抑
制することが可能になる。
また、偏光分離光学素子４８０ＲのＸＹ型偏光フィルム４８２Ｒは、反射型偏光板であ
り、照明光軸１００ａｘ（図示せず。）に対して傾いて構成されているので、検光子とし
ての特性にやや劣るところがある。しかし、偏光分離光学素子４８０Ｒで画像には不要と
なる光を取り除けなかった分を、射出側偏光板４５０Ｒによって確実に遮断することがで
きるので、良好な画像を得ることが可能となる。
つまり、検光子としての作用及び熱の発生を偏光分離光学素子４８０Ｒと射出側偏光板
４５０Ｒとで分担することによって、装置の信頼性を向上させることが可能となる。
【０１４０】
実施形態３に係るプロジェクタ１００２は、射出側偏光板の光入射側に接着されている
部材が異なる点以外の点では、実施形態２に係るプロジェクタ１０００と同様の構成を有
するため、実施形態２に係るプロジェクタ１０００の場合と同様の効果を有する。
【０１４１】
［実施形態４］
図９は、実施形態４に係るプロジェクタ１００４の要部を説明するために示す図である
。図９（ａ）はクロスダイクロイックプリズム５００の周辺部分を上面から見た図であり
、図９（ｂ）は図９（ａ）のＡ−Ａ断面図である。なお、図９において、図５と同一の部
材については同一の符号を付し、詳細な説明は省略する。
【０１４２】
実施形態４に係るプロジェクタ１００４（図示せず。）は、基本的には実施形態２に係
るプロジェクタ１０００とよく似た構成を有しているが、入射側偏光板に接着された透光
性基板が集光レンズに接着されている点及び射出側偏光板に接着された透光性基板がクロ
スダイクロイックプリズムに接着されている点で、実施形態２に係るプロジェクタ１００
０とは異なっている。
【０１４３】
すなわち、実施形態４に係るプロジェクタ１００４においては、図９に示すように、入
射側偏光板４２０Ｒに接着された反対側光学要素としての透光性基板４４０Ｒは、集光レ
ンズ３００Ｒの光入射面に接着層Ｃを介して接着されている。他の透光性基板４４０Ｇ，
４４０Ｂも、集光レンズ３００Ｇ，３００Ｂの光入射面にそれぞれ接着されている。
また、実施形態４に係るプロジェクタ１００４においては、図９に示すように、射出側
偏光板４５０Ｒに接着された反対側光学要素としての透光性基板４７０Ｒは、クロスダイ
クロイックプリズム５００の光入射端面に接着層Ｃを介して接着されている。他の透光性
基板４７０Ｇ，４７０Ｂも、クロスダイクロイックプリズム５００の光入射端面にそれぞ
れ接着されている。
【０１４４】
このように、実施形態４に係るプロジェクタ１００４は、入射側偏光板に接着された透
光性基板が集光レンズに接着されている点及び射出側偏光板に接着された透光性基板がク
ロスダイクロイックプリズムに接着されている点で、実施形態２に係るプロジェクタ１０
００とは異なるが、実施形態２に係るプロジェクタ１０００の場合と同様に、支持層４２
，５２が高温で強酸を遊離する添加物を含有しない三酢酸セルロースからなるため、高温
環境下において添加物に起因する強酸の遊離を抑制することが可能となる。その結果、遊
離された強酸によって三酢酸セルロースが攻撃されて変性してしまうことがなくなる。ま
た、支持層４２，５２は、三酢酸セルロースの持つアセチル基の酸素原子２重結合が２つ
の単結合に処理されているため、三酢酸セルロース自体が酢酸を遊離しにくくなっている
。このため、黄変の発生及び機械特性の低下を抑制することが可能となる。その結果、投
写画像の画像品質を向上することが可能となる。
【０１４５】
実施形態４に係るプロジェクタ１００４においては、入射側偏光板４２０Ｒ，４２０Ｇ
，４２０Ｂに接着された透光性基板４４０Ｒ，４４０Ｇ，４４０Ｂは、集光レンズ３００
Ｒ，３００Ｇ，３００Ｂの光入射面に接着層Ｃを介して接着されている。
このため、入射側偏光板４２０Ｒ，４２０Ｇ，４２０Ｂにおける偏光層４０で発生した
熱を透光性基板４４０Ｒ，４４０Ｇ，４４０Ｂを介して集光レンズ３００Ｒ，３００Ｇ，
３００Ｂに伝達することができるため、入射側偏光板４２０Ｒ，４２０Ｇ，４２０Ｂの温
度上昇をさらに抑制することが可能となる。
【０１４６】
また、透光性基板４４０Ｒ，４４０Ｇ，４４０Ｂが熱容量の比較的大きな集光レンズ３
００Ｒ，３００Ｇ，３００Ｂに接着されているため、透光性基板４４０Ｒ，４４０Ｇ，４
４０Ｂ及び入射側偏光板４２０Ｒ，４２０Ｇ，４２０Ｂの温度上昇を抑制し、プロジェク
タの放熱性能を高めることができる。
【０１４７】
実施形態４に係るプロジェクタ１００４においては、射出側偏光板４５０Ｒ，４５０Ｇ
，４５０Ｂに接着された透光性基板４７０Ｒ，４７０Ｇ，４７０Ｂは、クロスダイクロイ
ックプリズム５００の各光入射端面に接着層Ｃを介して接着されている。
このため、射出側偏光板４５０Ｒ，４５０Ｇ，４５０Ｂにおける偏光層５０で発生した
熱を透光性基板４７０Ｒ，４７０Ｇ，４７０Ｂを介してクロスダイクロイックプリズム５
００に伝達することができるため、射出側偏光板４５０Ｒ，４５０Ｇ，４５０Ｂの温度上
昇をさらに抑制することが可能となる。
【０１４８】
また、透光性基板４７０Ｒ，４７０Ｇ，４７０Ｂが熱容量の比較的大きなクロスダイク
ロイックプリズム５００に接着されているため、透光性基板４７０Ｒ，４７０Ｇ，４７０
Ｂ及び射出側偏光板４５０Ｒ，４５０Ｇ，４５０Ｂの温度上昇を抑制し、プロジェクタの
放熱性能を高めることができる。
【０１４９】
実施形態４に係るプロジェクタ１００４は、入射側偏光板に接着された透光性基板が集
光レンズに接着されている点及び射出側偏光板に接着された透光性基板がクロスダイクロ
イックプリズムに接着されている点以外の点では、実施形態２に係るプロジェクタ１００
０と同様の構成を有するため、実施形態２に係るプロジェクタ１０００の場合と同様の効
果を有する。
【０１５０】
［実施形態５］
図１０は、実施形態５に係るプロジェクタ１００６の要部を説明するために示す図であ
る。図１０（ａ）はクロスダイクロイックプリズム５００の周辺部分を上面から見た図で
あり、図１０（ｂ）は図１０（ａ）のＡ−Ａ断面図である。なお、図１０において、図９
と同一の部材については同一の符号を付し、詳細な説明は省略する。
【０１５１】
実施形態５に係るプロジェクタ１００６は、基本的には実施形態４に係るプロジェクタ
１００４とよく似た構成を有しているが、入射側偏光板に接着される反対側光学要素とし
ての透光性基板がない点及び射出側偏光板に接着される反対側光学要素としての透光性基
板がない点で、実施形態４に係るプロジェクタ１００４とは異なっている。
【０１５２】
すなわち、実施形態５に係るプロジェクタ１００６においては、図１０に示すように、
入射側偏光板４２０Ｒ，４２０Ｇ，４２０Ｂが集光レンズ３００Ｒ，３００Ｇ，３００Ｂ
の光射出面に接着層Ｃを介して接着されている。また、射出側偏光板４５０Ｒ，４５０Ｇ
，４５０Ｂがクロスダイクロイックプリズム５００の各光入射端面に接着層Ｃを介して接
着されている。
【０１５３】
このように、実施形態５に係るプロジェクタ１００６は、入射側偏光板に接着される反
対側光学要素としての透光性基板がない点及び射出側偏光板に接着される反対側光学要素
としての透光性基板がない点で、実施形態４に係るプロジェクタ１００４とは異なるが、
実施形態２に係るプロジェクタ１０００及び実施形態４に係るプロジェクタ１００４の場
合と同様に、支持層４２，５２が高温で強酸を遊離する添加物を含有しない三酢酸セルロ
ースからなるため、高温環境下において添加物に起因する強酸の遊離を抑制することが可
能となる。その結果、遊離された強酸によって三酢酸セルロースが攻撃されて変性してし
まうことがなくなる。また、支持層４２，５２は、三酢酸セルロースの持つアセチル基の
酸素原子２重結合が２つの単結合に処理されているため、三酢酸セルロース自体が酢酸を
遊離しにくくなっている。このため、黄変の発生及び機械特性の低下を抑制することが可
能となる。その結果、投写画像の画像品質を向上することが可能となる。
【０１５４】
実施形態５に係るプロジェクタ１００６は、入射側偏光板に接着される反対側光学要素
としての透光性基板がない点及び射出側偏光板に接着される反対側光学要素としての透光
性基板がない点以外の点では、実施形態２に係るプロジェクタ１０００及び実施形態４に
係るプロジェクタ１０００４と同様の構成を有するため、実施形態２に係るプロジェクタ
１０００及び実施形態４に係るプロジェクタ１００４の場合と同様の効果を有する。
【０１５５】
以上、本発明の光学素子及びプロジェクタを上記の各実施形態に基づいて説明したが、
本発明は上記の各実施形態に限られるものではなく、その要旨を逸脱しない範囲において
種々の態様において実施することが可能であり、例えば次のような変形も可能である。
【０１５６】
（１）上記各実施形態では、支持層として、高温で強酸を遊離する添加物を含有しない三
酢酸セルロースからなり、かつ、三酢酸セルロースの持つアセチル基の酸素原子２重結合
が２つの単結合に処理されているものを用いた場合を例示して説明したが、本発明はこれ
に限定されるものではない。支持層として、高温で強酸を遊離する添加物を含有しない三
酢酸セルロースからなる特徴、又は、三酢酸セルロースの持つアセチル基の酸素原子２重
結合が２つの単結合に処理されている特徴の少なくとも一方の特徴を有するものを用いて
もよい。
【０１５７】
（２）上記実施形態１に係る光学素子１においては、光学要素及び他の光学要素が透光性
基板である場合を例示して説明したが、本発明はこれに限定されるものではなく、クロス
ダイクロイックプリズム、偏光分離光学素子及びレンズであってもよい。
【０１５８】
（３）上記実施形態１に係る光学素子１においては、光学要素としての透光性基板２０及
び他の光学要素としての透光性基板３０の材料として、ともにサファイアを用いたが、本
発明はこれに限定されるものではない。透光性基板２０，３０の材料として、サファイア
のほかに、水晶又は光学ガラスを用いてもよい。透光性基板２０，３０の材料として水晶
を用いた場合には、サファイアの場合と同様の効果を得ることができる。また、透光性基
板２０，３０の材料として光学ガラスを用いた場合には、光学ガラスは複屈折が小さいた
め、透光性基板を通過する光束の品質低下を抑制することができ、偏光板１０に入射する
光束又は偏光板１０から射出される光束の品質低下を抑制することができる。また、光学
ガラスは熱膨張率が比較的小さいため、熱による伸び・変形が大きいという性質を有する
偏光板１０をこのような熱膨張率の小さな光学ガラスからなる透光性基板に接着すること
により、偏光板１０自体の変形を抑えることができる。なお、光学ガラスとしては、石英
ガラス、ＢＫ７やパイレックス（登録商標）などの硼珪酸ガラス、白板ガラス、結晶化ガ
ラスなどを好適に用いることができる。つまり、透光性基板２０，３０が無機材料であれ
ばよい。
なお、上述したことは、上記実施形態２〜５に係るプロジェクタ１０００〜１００６に
おける透光性基板４３０Ｒ，４３０Ｇ，４３０Ｂ，４４０Ｒ，４４０Ｇ，４４０Ｂ，４６
０Ｒ，４６０Ｇ，４６０Ｂ，４７０Ｒ，４７０Ｇ，４７０Ｂについても同様に言えること
であり、上記した無機材料から適宜選択することができる。
【０１５９】
（４）上記実施形態１に係る光学素子１においては、光学要素及び他の光学要素の材料と
して、ともにサファイアを用いたが、本発明はこれに限定されるものではなく、例えば、
光学要素の材料がサファイア又は水晶であり、他の光学要素の材料が光学ガラスであって
もよい。
なお、上述したことは、上記実施形態２〜５に係るプロジェクタ１０００〜１００６に
おける透光性基板４３０Ｒ，４３０Ｇ，４３０Ｂ，４４０Ｒ，４４０Ｇ，４４０Ｂ，４６
０Ｒ，４６０Ｇ，４６０Ｂ，４７０Ｒ，４７０Ｇ，４７０Ｂについても同様に言えること
である。
【０１６０】
（５）本発明の光学素子は、液晶装置を備えるプロジェクタや偏光顕微鏡等の光学機器に
好適に用いることができる。
【０１６１】
（６）上記実施形態３に係るプロジェクタ１００２においては、偏光分離光学素子として
、二軸方向性の有るフィルムを複数枚積層してＸＹ型の偏光特性を持たせたＸＹ型偏光フ
ィルムを用いた偏光分離光学素子４８０Ｒ，４８０Ｇ，４８０Ｂを例示して説明したが、
本発明はこれに限定されるものではない。偏光分離光学素子としては、例えば誘電体多層
膜からなる偏光分離光学素子、多数の微細金属細線が配列されたワイヤグリッド型の偏光
分離光学素子などを好ましく用いることができる。
【０１６２】
（７）上記実施形態２及び４に係るプロジェクタ１０００，１００４においては、入射側
偏光板４２０Ｒ，４２０Ｇ，４２０Ｂのすべてが液晶装置側光学要素としての透光性基板
４３０Ｒ，４３０Ｇ，４３０Ｂと反対側光学要素としての透光性基板４４０Ｒ，４４０Ｇ
，４４０Ｂとの間にそれぞれ挟み込まれ、射出側偏光板４５０Ｒ，４５０Ｇ，４５０Ｂの
すべてが液晶装置側光学要素としての透光性基板４６０Ｒ，４６０Ｇ，４６０Ｂと反対側
光学要素としての透光性基板４７０Ｒ，４７０Ｇ，４７０Ｂとの間にそれぞれ挟み込まれ
ている場合を例示して説明したが、本発明はこれに限定されるものではない。入射側偏光
板４２０Ｒ，４２０Ｇ，４２０Ｂのうち少なくとも１つの入射側偏光板が液晶装置側光学
要素としての透光性基板４３０Ｒ，４３０Ｇ，４３０Ｂと反対側光学要素としての透光性
基板４４０Ｒ，４４０Ｇ，４４０Ｂとの間に挟み込まれ、射出側偏光板４５０Ｒ，４５０
Ｇ，４５０Ｂのうち少なくとも１つの射出側偏光板が液晶装置側光学要素としての透光性
基板４６０Ｒ，４６０Ｇ，４６０Ｂと反対側光学要素としての透光性基板４７０Ｒ，４７
０Ｇ，４７０Ｂとの間に挟み込まれている場合も本発明の範囲に含まれるものである。
【０１６３】
（８）上記実施形態３に係るプロジェクタ１００２においては、射出側偏光板４５０Ｒ，
４５０Ｇ，４５０Ｂのすべてが液晶装置側光学要素としての偏光分離光学素子４８０Ｒ，
４８０Ｇ，４８０Ｂと反対側光学要素としての透光性基板４７０Ｒ，４７０Ｇ，４７０Ｂ
との間にそれぞれ挟み込まれている場合を例示して説明したが、本発明はこれに限定され
るものではない。射出側偏光板４５０Ｒ，４５０Ｇ，４５０Ｂのうち少なくとも１つの射
出側偏光板が液晶装置側光学要素としての偏光分離光学素子４８０Ｒ，４８０Ｇ，４８０
Ｂと反対側光学要素としての透光性基板４７０Ｒ，４７０Ｇ，４７０Ｂとの間に挟み込ま
れている場合も本発明の範囲に含まれるものである。
【０１６４】
（９）上記実施形態５に係るプロジェクタ１００６においては、入射側偏光板４２０Ｒ，
４２０Ｇ，４２０Ｂのすべてが透光性基板４３０Ｒ，４３０Ｇ，４３０Ｂと集光レンズ３
００Ｒ，３００Ｇ，３００Ｂとの間にそれぞれ挟み込まれ、射出側偏光板４５０Ｒ，４５
０Ｇ，４５０Ｂのすべてが透光性基板４６０Ｒ，４６０Ｇ，４６０Ｂとクロスダイクロイ
ックプリズム５００との間にそれぞれ挟み込まれている場合を例示して説明したが、本発
明はこれに限定されるものではない。入射側偏光板４２０Ｒ，４２０Ｇ，４２０Ｂのうち
少なくとも１つの入射側偏光板が透光性基板４３０Ｒ，４３０Ｇ，４３０Ｂと集光レンズ
３００Ｒ，３００Ｇ，３００Ｂとの間に挟み込まれ、射出側偏光板４５０Ｒ，４５０Ｇ，
４５０Ｂのうち少なくとも１つの射出側偏光板が透光性基板４６０Ｒ，４６０Ｇ，４６０
Ｂとクロスダイクロイックプリズム５００との間に挟み込まれている場合も本発明の範囲
に含まれるものである。
【０１６５】
（１０）上記実施形態２に係るプロジェクタ１０００においては、光源装置として、楕円
面リフレクタ１１４と、楕円面リフレクタ１１４の第１焦点近傍に発光中心を有する発光
管１１２と、凹レンズ１１８とを有する光源装置１１０を用いたが、本発明はこれに限定
されるものではなく、放物面リフレクタと、放物面リフレクタの焦点近傍に発光中心を有
する発光管とを有する光源装置をも好ましく用いることができる。
【０１６６】
（１１）上記実施形態２に係るプロジェクタ１０００においては、発光管１１２に反射手
段としての副鏡１１６が配設されている場合を例示して説明したが、本発明はこれに限定
されるものではなく、発光管に副鏡が配設されていないものであっても本発明を適用する
ことができる。
【０１６７】
（１２）上記実施形態２に係るプロジェクタ１０００においては、光均一化光学系として
、レンズアレイからなるレンズインテグレータ光学系を用いたが、本発明はこれに限定さ
れるものではなく、ロッド部材からなるロッドインテグレータ光学系をも好ましく用いる
ことができる。
【０１６８】
（１３）上記実施形態２に係るプロジェクタ１０００においては、３つの液晶装置４１０
Ｒ，４１０Ｇ，４１０Ｂを用いたプロジェクタを例示して説明したが、本発明はこれに限
定されるものではなく、１つ、２つ又は４つ以上の液晶装置を用いたプロジェクタにも適
用可能である。
【０１６９】
（１４）本発明は、投写画像を観察する側から投写するフロント投写型プロジェクタに適
用する場合にも、投写画像を観察する側とは反対の側から投写するリア投写型プロジェク
タに適用する場合にも可能である。
【図面の簡単な説明】
【０１７０】
【図１】実施形態１に係る光学素子１を説明するために示す図。
【図２】実施形態１に係る光学素子１が有する効果について説明するために示す図。
【図３】実施形態１の変形例に係る光学素子２を模式的に示す図。
【図４】実施形態２に係るプロジェクタ１０００の光学系を示す図。
【図５】実施形態２に係るプロジェクタ１０００の要部を説明するために示す図。
【図６】実施形態２に係るプロジェクタ１０００の要部を説明するために示す図。
【図７】実施形態３に係るプロジェクタ１００２の要部を説明するために示す図。
【図８】射出側偏光板４５０Ｒの周辺部分を側面から見た図。
【図９】実施形態４に係るプロジェクタ１００４の要部を説明するために示す図。
【図１０】実施形態５に係るプロジェクタ１００６の要部を説明するために示す図。
【符号の説明】
【０１７１】
１，１ａ，１ｂ，１ｃ，２…光学素子、１０，１０ａ，１１…偏光板、１２，４０，５０
…偏光層、１４，１４ａ，１６，４２，５２…支持層、２０，３０，４３０Ｒ，４３０Ｇ
，４３０Ｂ，４４０Ｒ，４４０Ｇ，４４０Ｂ，４６０Ｒ，４６０Ｇ，４６０Ｂ，４７０Ｒ
，４７０Ｇ，４７０Ｂ…透光性基板、１００…照明装置、１００ａｘ…照明光軸、１１０
…光源装置、１１２…発光管、１１４…楕円面リフレクタ、１１６…副鏡、１１８…凹レ
ンズ、１２０…第１レンズアレイ、１２２…第１小レンズ、１３０…第２レンズアレイ、
１３２…第２小レンズ、１４０…偏光変換素子、１５０…重畳レンズ、２００…色分離導
光光学系、２１０，２２０…ダイクロイックミラー、２３０，２４０，２５０…反射ミラ
ー、２６０…入射側レンズ、２７０…リレーレンズ、３００Ｒ，３００Ｇ，３００Ｂ…集
光レンズ、４１０Ｒ，４１０Ｇ，４１０Ｂ…液晶装置、４２０Ｒ，４２０Ｇ，４２０Ｂ…
入射側偏光板、４５０Ｒ，４５０Ｇ，４５０Ｂ…射出側偏光板、４８０Ｒ，４８０Ｇ，４
８０Ｂ…偏光分離光学素子、４８２Ｒ…ＸＹ型偏光フィルム、４８４Ｒ，４８６Ｒ…ガラ
スプリズム、４８８Ｒ…光吸収手段、５００…クロスダイクロイックプリズム、６００…
投写光学系、７００…筐体、７１０…熱伝導性のスペーサ、７２０，７２２…熱伝導部材
、１０００…プロジェクタ、Ｃ…接着剤、ＳＣＲ…スクリーン
【図１】
2007256734.tif 000003
【図２】
2007256734.tif 000004
【図３】
2007256734.tif 000005
【図４】
2007256734.tif 000006
【図５】
2007256734.tif 000007
【図６】
2007256734.tif 000008
【図７】
2007256734.tif 000009
【図８】
2007256734.tif 000010
【図９】
2007256734.tif 000011
【図１０】
2007256734.tif 000012